(57)【要約】【課題】収納庫の入れ換えを行った場合にも、故障が発生していないと判断された収納庫のみの動作を自動的に行わせることができる紙幣処理装置および収納庫を提供する。【解決手段】紙幣処理装置１０は、装置本体１０ａと、装置本体１０ａに着脱自在に設けられ、装置本体１０ａから送られた紙幣を収納する複数の収納庫３０、３２、３４、３６と、各収納庫３０、３２、３４、３６の制御を行う制御部５０とを備えている。各収納庫３０、３２、３４、３６には、当該収納庫３０、３２、３４、３６に故障が発生しているか否かの故障情報を記憶する記憶部３０ｍ〜３６ｍがそれぞれ設けられている。制御部５０は、記憶部３０ｍ〜３６ｍに記憶された故障情報に基づいて、故障が発生していないと判断された収納庫のみの動作を行わせる。【選択図】図２
2011170533.tif 000002
【特許請求の範囲】
【請求項１】
装置本体と、
前記装置本体に着脱自在に設けられ、前記装置本体から送られた紙幣を収納する複数の収納庫であって、前記各収納庫に、当該収納庫に故障が発生しているか否かの故障情報を記憶する記憶部がそれぞれ設けられている複数の収納庫と、
前記各収納庫の制御を行う制御部であって、前記各収納庫の制御を行うにあたり、当該各収納庫にそれぞれ設けられた前記記憶部に記憶された故障情報に基づいて、故障が発生していないと判断された収納庫のみの動作を行わせる制御部と、
を備えたことを特徴とする紙幣処理装置。
【請求項２】
前記制御部は、前記各収納庫のうちある収納庫に故障が発生していると判断したときには、当該収納庫の前記記憶部に故障情報を書き込むことを特徴とする請求項１記載の紙幣処理装置。
【請求項３】
前記各収納庫は、１または複数の収納部を有しており、各収納部にそれぞれ紙幣が収納されるようになっており、
前記記憶部に記憶される故障情報は、各収納部にそれぞれ故障が発生しているか否かに関するものであり、
前記制御部は、前記各収納庫の制御を行うにあたり、当該各収納庫にそれぞれ設けられた前記記憶部に記憶された故障情報に基づいて、前記各収納庫にそれぞれ設けられた１または複数の収納部のうち故障が発生していないと判断された収納部のみの動作を行わせることを特徴とする１または２記載の紙幣処理装置。
【請求項４】
前記装置本体には装置本体通信部が設けられており、
前記各収納庫には収納庫通信部がそれぞれ設けられており、
前記収納庫が前記装置本体に装着されたときに、前記収納部の数にかかわらず同一の種類の通信用接続部により前記装置本体通信部と前記収納庫通信部とが接続されてこれらの装置本体通信部と収納庫通信部との間で故障情報が送受信されるようになっていることを特徴とする請求項３記載の紙幣処理装置。
【請求項５】
紙幣処理装置の装置本体に着脱自在に設けられた収納庫であって、
前記装置本体から送られた紙幣を収納する収納部と、
前記収納庫に故障が発生しているか否かの故障情報を記憶する記憶部と、
を備えたことを特徴とする収納庫。
【請求項６】
前記収納部は１または複数設けられており、各収納部にそれぞれ紙幣が収納されるようになっており、
前記記憶部に記憶される故障情報は、各収納部にそれぞれ故障が発生しているか否かに関するものであることを特徴とする請求項５記載の収納庫。
【請求項７】
前記装置本体に設けられた装置本体通信部と通信を行うための収納庫通信部と、
前記装置本体に装着されたときに、前記収納庫通信部と前記装置本体に設けられた装置本体通信部とを接続するための通信用接続部と、
を更に備え、
前記通信用接続部は、前記収納部の数にかかわらず同一の種類のものが用いられることを特徴とする請求項６記載の収納庫。
【発明の詳細な説明】
【技術分野】
【０００１】
本発明は、紙幣の収納を行う収納庫が着脱自在に複数設けられた紙幣処理装置、および収納庫に関する。
【背景技術】
【０００２】
従来から、紙幣の収納を行う収納庫が着脱自在に複数設けられた紙幣処理装置として、様々なタイプのものが知られている。例えば、特許文献１には、複数の収納庫が設けられた紙幣処理装置において、一部の収納庫で故障が発生したときに、この故障が発生した収納庫を使用しないで他の正常な収納庫のみを動作させるような縮退運用が行われることが開示されている。
【０００３】
また、特許文献２には、入金庫、出金庫、リサイクル庫、リジェクト庫、装填・回収庫の各収納庫を任意に入れ換えることができるような紙幣入出金機が開示されている。このような紙幣入出金機では、各収納庫の入れ換えを行うと、当該紙幣入出金機に設けられた制御部において各収納庫に関する情報が無効となるため、収納庫の入れ換えを行う度に制御部において各収納庫の再設定が行われるようになっている。
【０００４】
また、特許文献３には、金種別に紙幣の収納を行う金種別カセットにメモリが設けられており、各金種別カセットの各メモリに、当該金種別カセットの開閉日時や金種別の収納紙幣の枚数等が記憶されることが開示されている。
【先行技術文献】
【特許文献】
【０００５】
【特許文献１】特開２００１−２９１１４５号公報
【特許文献２】特開２０００−２０７８３号公報
【特許文献３】特開２００１−６０１８号公報
【発明の概要】
【発明が解決しようとする課題】
【０００６】
上述のように、特許文献１には、一部の収納庫で故障が発生したときに、この故障が発生した収納庫を使用しないで他の正常な収納庫のみを動作させるような縮退運用が行われることが開示されている。一方、特許文献２に示すように、各収納庫の入れ換えを行うことができるようなタイプの紙幣処理装置では、各収納庫の入れ換えを行うと、制御部において各収納庫の再設定を行う必要がある。このようなタイプの紙幣処理装置で、ある収納庫で故障が動作中に発生すると、この収納庫を外しておく、新たな収納庫に交換する、またはこの故障が発生した収納庫を使用しないで他の正常な収納庫のみを動作させるような縮退運用を行うこととなる。ここで、同じ種類の収納庫が複数設けられている場合には、各収納庫の入れ換えを行う際にどの収納庫に故障が発生しているかを操作者が認識しておかなければならない。また、各収納庫の入れ換えを行った場合は、縮退運用の対象となる収納庫、すなわち故障しており縮退運用で使用されないような収納庫の場所を制御部において再設定しなければならず、この際に操作者が故障した収納庫について誤装着や誤設定を行ってしまうおそれがある。
【０００７】
また、紙幣の収納を行う収納部が収納庫に複数設けられている場合には、収納庫に設けられた複数の収納部のうちある収納部に故障が発生したときに、各収納庫の入れ換えを行った際の制御部における再設定が更に複雑なものとなる。また、この場合、縮退運用を収納庫毎に行っていると、使用可能な収納部まで縮退運用の対象となってしまう。また、複数の収納部の情報を得るために必要な信号線の数が増えていくため、配線が複雑になり、コストも増加してしまうという問題がある。
【０００８】
本発明は、このような点を考慮してなされたものであり、各収納庫に、当該収納庫に故障が発生しているか否かの故障情報を記憶する記憶部がそれぞれ設けられているので、故障している収納庫を制御部は容易に認識することができ、このため、各収納庫の入れ換えを行った場合にも故障が発生していないと判断された収納庫のみの動作を自動的に行わせることができるような紙幣処理装置を提供することを目的とする。また、本発明の他の目的は、このような紙幣処理装置に設けられた収納庫を提供することにある。
【課題を解決するための手段】
【０００９】
本発明は、装置本体と、前記装置本体に着脱自在に設けられ、前記装置本体から送られた紙幣を収納する複数の収納庫であって、前記各収納庫に、当該収納庫に故障が発生しているか否かの故障情報を記憶する記憶部がそれぞれ設けられている複数の収納庫と、前記各収納庫の制御を行う制御部であって、前記各収納庫の制御を行うにあたり、当該各収納庫にそれぞれ設けられた前記記憶部に記憶された故障情報に基づいて、故障が発生していないと判断された収納庫のみの動作を行わせる制御部と、を備えたことを特徴とする紙幣処理装置である。
【００１０】
このような紙幣処理装置によれば、各収納庫に、当該収納庫に故障が発生しているか否かの故障情報を記憶する記憶部がそれぞれ設けられており、制御部は、各収納庫の制御を行うにあたり、各記憶部に記憶された故障情報に基づいて、故障が発生していないと判断された収納部のみの動作を行わせるようになっている。このことにより、故障している収納庫を制御部は容易に認識することができ、このため、各収納庫の入れ換えを行った場合にも故障が発生していないと判断された収納庫のみの動作を自動的に行わせることができる。
【００１１】
本発明の紙幣処理装置においては、前記制御部は、前記各収納庫のうちある収納庫に故障が発生していると判断したときには、当該収納庫の前記記憶部に故障情報を書き込むようになっていてもよい。
【００１２】
本発明の紙幣処理装置においては、前記各収納庫は、１または複数の収納部を有しており、各収納部にそれぞれ紙幣が収納されるようになっており、前記記憶部に記憶される故障情報は、各収納部にそれぞれ故障が発生しているか否かに関するものであり、前記制御部は、前記各収納庫の制御を行うにあたり、当該各収納庫にそれぞれ設けられた前記記憶部に記憶された故障情報に基づいて、前記各収納庫にそれぞれ設けられた１または複数の収納部のうち故障が発生していないと判断された収納部のみの動作を行わせるようになっていてもよい。このような紙幣処理装置によれば、収納部が複数設けられた収納庫を用いた際に、この収納庫におけるある一つの収納部に故障が発生した場合でも、他の収納部を利用することができる。また、この収納庫の記憶部に記憶される故障情報は、各収納部にそれぞれ故障が発生しているか否かに関するものであるので、収納庫の入れ換えを行った場合でも制御部における再設定を容易に行うことができる。
【００１３】
上述のような紙幣処理装置においては、前記装置本体には装置本体通信部が設けられており、前記各収納庫には収納庫通信部がそれぞれ設けられており、前記収納庫が前記装置本体に装着されたときに、前記収納部の数にかかわらず同一の種類の通信用接続部により前記装置本体通信部と前記収納庫通信部とが接続されてこれらの装置本体通信部と収納庫通信部との間で故障情報が送受信されるようになっていてもよい。このような紙幣処理装置によれば、複数の収納部の情報を得るために必要な信号線の数が増えることを防止することができ、配線をシンプルとすることができるとともにコストを低減することができる。
【００１４】
本発明は、紙幣処理装置の装置本体に着脱自在に設けられた収納庫であって、前記装置本体から送られた紙幣を収納する収納部と、前記収納庫に故障が発生しているか否かの故障情報を記憶する記憶部と、を備えたことを特徴とする収納庫である。
【００１５】
このような収納庫によれば、各収納庫の入れ換えを行った場合にも故障が発生していないと判断された収納庫のみの動作を自動的に行うことができる。
【００１６】
本発明の収納庫においては、前記収納部は１または複数設けられており、各収納部にそれぞれ紙幣が収納されるようになっており、前記記憶部に記憶される故障情報は、各収納部にそれぞれ故障が発生しているか否かに関するものであってもよい。
【００１７】
上述のような収納庫においては、前記装置本体に設けられた装置本体通信部と通信を行うための収納庫通信部と、前記装置本体に装着されたときに、前記収納庫通信部と前記装置本体に設けられた装置本体通信部とを接続するための通信用接続部と、を更に備え、前記通信用接続部は、前記収納部の数にかかわらず同一の種類のものが用いられるようになっていてもよい。
【発明の効果】
【００１８】
本発明の紙幣処理装置によれば、当該紙幣処理装置に設けられた制御部は故障している収納庫を容易に認識することができ、このため、各収納庫の入れ換えを行った場合にも故障が発生していないと判断された収納庫のみの動作を自動的に行わせることができる。
【００１９】
また、本発明の収納庫によれば、各収納庫の入れ換えを行った場合にも故障が発生していないと判断された収納庫のみの動作を自動的に行わせることができる。
【図面の簡単な説明】
【００２０】
【図１】本発明の一の実施の形態による紙幣処理装置の一の構成を示す概略構成図である。
【図２】図１に示す紙幣処理装置の制御ブロック図である。
【図３】本発明の一の実施の形態による紙幣処理装置の他の構成を示す概略構成図である。
【図４】図３に示す紙幣処理装置の制御ブロック図である。
【図５】図３に示す紙幣処理装置において、各収納カセットおよびカセット収容部にそれぞれ設けられた通信用コネクタの一の構成を示す概略図である。
【図６】図３に示す紙幣処理装置において、各収納カセットおよびカセット収容部にそれぞれ設けられた通信用コネクタの他の構成を示す概略図である。
【図７】図１や図３に示す紙幣処理装置における収納カセットの構成の詳細を示す構成図であって、紙幣を収納カセットに収納するときの動作を示す図である。
【図８】図１や図３に示す紙幣処理装置における収納カセットの構成の詳細を示す構成図であって、紙幣を収納カセットから繰り出すときの動作を示す図である。
【発明を実施するための形態】
【００２１】
以下、図面を参照して本発明の一の実施の形態について説明する。図１および図２は、本実施の形態に係る紙幣処理装置を示す図である。
【００２２】
本実施の形態による紙幣処理装置１０の構成の概要について図１を用いて説明する。紙幣処理装置１０は、略直方体形状の筐体１２と、筐体１２の外部から内部に紙幣を投入するための紙幣投入部１４と、筐体１２の内部にある紙幣を外部に投出するための紙幣投出部１６と、を備えている。紙幣投入部１４には、紙幣の投入口の開閉を行うシャッター（図示せず）が設けられている。また、紙幣投出部１６には、紙幣の投出口の開閉を行うシャッター（図示せず）が設けられている。筐体１２の内部には、紙幣投入部１４により筐体１２の内部に１枚ずつ繰り入れられた紙幣を筐体１２内で搬送する搬送部２８が設けられている。また、搬送部２８には識別部２２が設けられており、この識別部２２は、例えば紙幣投入部１４により筐体１２の内部に繰り入れられ搬送部２８により搬送される紙幣の金種、真偽、正損等を識別するようになっている。識別部２２による紙幣の識別結果は後述する制御部５０に送られるようになっている。
【００２３】
また、筐体１２の内部において搬送部２８にはリジェクト部１８が設けられている。そして、紙幣投入部１４により筐体１２の内部に繰り入れられ識別部２２で識別された紙幣のうち正常な紙幣ではないと識別されたリジェクト紙幣は搬送部２８からリジェクト部１８に送られるようになっている。リジェクト部１８は筐体１２の外部に連通しており、リジェクト部１８に送られたリジェクト紙幣は筐体１２の外部から取り出すことができるようになっている。また、筐体１２の内部において搬送部２８には一時保留部２０が接続されている。一時保留部２０は、紙幣投入部１４により筐体１２の内部に繰り入れられ識別部２２で識別された紙幣のうち正常な紙幣であると識別された紙幣を一時的に保留するようになっている。
【００２４】
また、紙幣処理装置１０には複数の（例えば４つの）金種毎の収納カセット３０、３２、３４、３６が設けられており、これらの収納カセット３０、３２、３４、３６には紙幣が金種別に収納されるようになっている。各収納カセット３０、３２、３４、３６は、紙幣処理装置１０の装置本体１０ａに着脱自在に設けられている。より詳細には、４つの収納カセット３０、３２、３４、３６が収容されるカセット収容部３８が装置本体１０ａに設けられており、このカセット収容部３８は装置本体１０ａから水平方向に引き出すことができるようになっている。そして、カセット収容部３８が装置本体１０ａから引き出された後、各収納カセット３０、３２、３４、３６をそれぞれカセット収容部３８から上方向に取り出すことができるようになっている。
【００２５】
各収納カセット３０、３２、３４、３６にはそれぞれ１つの収納部３０ａ、３２ａ、３４ａ、３６ａが設けられており、装置本体１０ａの搬送部２８から各収納カセット３０、３２、３４、３６に送られた紙幣は各収納部３０ａ、３２ａ、３４ａ、３６ａに収納されるようになっている。より詳細には、各収納部３０ａ、３２ａ、３４ａ、３６ａには紙幣が集積される集積台が昇降自在にそれぞれ設けられており、この集積台上に紙幣が積層状態で集積されるようになっている。また、各収納部３０ａ、３２ａ、３４ａ、３６ａはそれぞれ繰出機構３０ｐ、３２ｐ、３４ｐ、３６ｐを有しており、各収納部３０ａ、３２ａ、３４ａ、３６ａに収納された紙幣を各繰出機構３０ｐ、３２ｐ、３４ｐ、３６ｐにより装置本体１０ａの搬送部２８に１枚ずつ繰り出すことができるようになっている。
【００２６】
ここで、各収納カセット３０、３２、３４、３６は全く同一のタイプのものからなり、その寸法、紙幣の収納可能枚数、収納部や繰出機構の位置等も同一となっている。このため、各収納カセット３０、３２、３４、３６について、他の収納カセットとの入れ換えを行うことが可能となっている。具体的には、例えば図１に示すような状態から収納カセット３０および収納カセット３２を互いに入れ換えてもよく、また、図１に示すような状態から収納カセット３０を装置本体１０ａから抜き出し、同じタイプの新たな収納カセットを、収納カセット３０が抜き出された箇所に装着してもよい。
【００２７】
また、各収納カセット３０、３２、３４、３６には、当該収納カセット３０、３２、３４、３６に故障（例えば、ローラの摩耗や一時的な集積不良等）が発生しているか否かの検出を行う検出部がそれぞれ設けられている。ここで、各収納カセット３０、３２、３４、３６の構成の詳細について、図７および図８を用いて説明する。図７は、紙幣を各収納カセット３０、３２、３４、３６に収納するときの動作を示す図であり、図８は、紙幣を各収納カセット３０、３２、３４、３６から繰り出すときの動作を示す図である。
【００２８】
以下、各収納カセット３０、３２、３４、３６の構成について、収納カセット３０を代表的に用いて説明する。収納カセット３０は、各紙幣ガイド８２ａ、８２ｂ、８２ｃ、８２ｄ、８２ｅを有している。一対の紙幣ガイド８２ａ、８２ｂの間にはステージ９４が設けられており、このステージ９４上に紙幣が積層状態で集積されるようになっている。また、ステージ９４は昇降するようになっている。ステージ９４の上方には紙幣ガイド８２ｃが設けられており、この紙幣ガイド８２ｃの近傍には落下ガイド９２が設けられている。この落下ガイド９２は軸９２ａにより回転自在に支持されており、落下ガイド９２の先端部分はステージ９４上の複数の紙幣のうち最上位にある紙幣の表面に当接するようになっている。また、収納カセット３０には集積紙幣検出センサ９６が設けられており、この集積紙幣検出センサ９６により、紙幣ガイド８２ｃ近傍にある紙幣が検出されるようになっている。また、搬送部２８には一対の紙幣ガイド８２ｄ、８２ｅが接続されており、この一対の紙幣ガイド８２ｄ、８２ｅの間で紙幣が搬送されてステージ９４上に送られるようになっている。一対の紙幣ガイド８２ｄ、８２ｅには紙幣右端部分検出センサ８４ａおよび紙幣左端部分検出センサ８４ｂがそれぞれ設けられている。紙幣右端部分検出センサ８４ａは、一対の紙幣ガイド８２ｄ、８２ｅの間で搬送される紙幣の幅方向右端部分を検出するようになっており、紙幣左端部分検出センサ８４ｂは、一対の紙幣ガイド８２ｄ、８２ｅの間で搬送される紙幣の幅方向左端部分を検出するようになっている。また、一対の紙幣ガイド８２ｄ、８２ｅと紙幣ガイド８２ｃとの接続箇所の近傍にはフィードローラ８６が設けられており、このフィードローラ８６にはゲートローラ８８が対向して設けられている。ゲートローラ８８の外周面には複数の札叩きゴム８８ａが取り付けられている。ゲートローラ８８の回転軸には図示しないワンウェイクラッチが取り付けられており、ゲートローラ８８は、図７における反時計回りの方向には回転しないようになっている。また、紙幣ガイド８２ｃの近傍にはキッカローラ９０が設けられている。フィードローラ８６、ゲートローラ８８およびキッカローラ９０により、収納カセット３０の繰出機構３０ｐが構成されている。
【００２９】
紙幣を収納カセット３０に収納させる際には、図７に示すように、フィードローラ８６が図７における反時計回りの方向に回転し、ゲートローラ８８もフィードローラ８６に連れ回って図７における時計回りの方向に回転する。そして、搬送部２８から一対の紙幣ガイド８２ｄ、８２ｅの間に送られた紙幣はフィードローラ８６とゲートローラ８８の間を通って１枚ずつステージ９４上に送られる。この際に、ステージ９４は徐々に降下する。より具体的には、集積紙幣検出センサ９６により紙幣が検出されると、この集積紙幣検出センサ９６により紙幣が検出されなくなるまでステージ９４は降下する。一方、紙幣を収納カセット３０から繰り出す際には、ステージ９４が徐々に上昇し、ステージ９４上の複数の紙幣のうち最上位にある紙幣がキッカローラ９０に接触する。この際に、図８に示すように、フィードローラ８６が図８における時計回りの方向に回転する。一方、ゲートローラ８８は回転せずに停止する。また、キッカローラ９０は図８における時計回りの方向に回転する。このことにより、ステージ９４上の紙幣がキッカローラ９０によりフィードローラ８６に向かって蹴り出される。そして、蹴り出された紙幣はゲートローラ８８により１枚ずつ分離されてフィードローラ８６により繰り出される。その後、繰り出された紙幣は一対の紙幣ガイド８２ｄ、８２ｅの間を通って搬送部２８に送られる。
【００３０】
紙幣を収納カセット３０から繰り出す際に、紙幣右端部分検出センサ８４ａおよび紙幣左端部分検出センサ８４ｂにより、紙幣の幅方向右端部分および幅方向左端部分がそれぞれ検出される。そして、両方の検出センサ８４ａ、８４ｂの検出タイミングの差を計算して紙幣の斜行を検出する。より具体的には、斜行量が所定量より大きいとき、繰り出し不良による紙幣の斜行として検出する。また、紙幣の繰り出し開始後、紙幣が通過するまでの時間や、通過する紙幣の間隔を計算し、前述の時間が所定値を超えたり、前述の間隔が所定値を超えたり、ばらつきの範囲が大きいときに、紙幣の繰り出し不良として検出してもよい。
【００３１】
また、紙幣を収納カセット３０に収納する際に、前述のように、集積紙幣検出センサ９６で集積紙幣の上端を検出し、検出したときは集積スペースを確保するためにステージ９４を降下させるが、ステージ９４を所定量以上降下させても集積紙幣検出センサ９６が依然として紙幣を検出するときには、集積スペース内で紙幣が折れ曲がるなど正常に集積されていない可能性が高いので、紙幣の集積不良として検出する。また、紙幣の集積不良を検出するにあたり、検出集積紙幣検出センサ９６の代わりに、落下ガイド９２の位置を検出してもよい。
【００３２】
また、ステージ９４の昇降動作をフォトセンサ（図示せず）やロータリエンコーダ（図示せず）により監視し、ステージの昇降動作が命令通りに行われていないときに、ステージ動作不良の故障として検出される。
【００３３】
上述のような様々な紙幣の繰り出し不良、紙幣の集積不良、ステージ故障等をまとめて、以下の記載では「カセット３０に設けられた検出部により故障が検出される」という。
【００３４】
また、紙幣処理装置１０の装置本体１０ａには、精査処理を行う際に紙幣が一時的に収納される精査用収納部２４が設けられている。この精査用収納部２４は搬送部２８に接続されており、各収納カセット３０、３２、３４、３６内の紙幣の精査処理を行う際に当該収納カセット３０、３２、３４、３６から紙幣が搬送部２８を経由して収納されるとともにこの収納された紙幣を搬送部２８に繰り出すことができるようになっている。より詳細には、精査用収納部２４は繰出機構２４ｐを有しており、精査用収納部２４に収納された紙幣を繰出機構２４ｐにより搬送部２８に繰り出すことができるようになっている。
【００３５】
また、紙幣処理装置１０の装置本体１０ａには、例えば金種が混合した状態で紙幣を収納する混合収納部２６が設けられている。この混合収納部２６は搬送部２８に接続されており、搬送部２８から様々な金種の紙幣が送られて収納されるとともにこの収納された紙幣を搬送部２８に繰り出すことができるようになっている。より詳細には、混合収納部２６は繰出機構２６ｐを有しており、混合収納部２６に収納された紙幣を繰出機構２６ｐにより搬送部２８に繰り出すことができるようになっている。
【００３６】
次に、図１に示すような紙幣処理装置１０の制御ブロック図について図２を用いて説明する。
【００３７】
図２に示すように、紙幣処理装置１０の装置本体１０ａには制御部５０が設けられている。この制御部５０は、紙幣処理装置１０の各構成要素、具体的には、紙幣投入部１４、紙幣投出部１６、一時保留部２０、搬送部２８、識別部２２、精査用収納部２４、混合収納部２６等にそれぞれ接続されている。制御部５０には、識別部２２による紙幣の識別結果に係る情報が当該識別部２２から送られるようになっている。また、制御部５０は、紙幣投入部１４、紙幣投出部１６、一時保留部２０、搬送部２８、精査用収納部２４、混合収納部２６等の各々の制御を行うようになっている。
【００３８】
また、図２に示すように、制御部５０には表示操作部５２が接続されている。表示操作部５２は例えば紙幣処理装置１０の筐体１２の上面に設けられている。この表示操作部５２は、紙幣処理装置１０における紙幣の処理状況等を表示するようになっている。また、操作者が制御部５０に対して表示操作部５２により様々な指令を与えることができるようになっている。表示操作部５２は例えばタッチパネルより構成されている。
【００３９】
また、各収納カセット３０〜３６が装置本体１０ａに装着されたときに、各収納カセット３０〜３６における各収納部３０ａ〜３６ａが制御部５０に通信接続されるようになっている。各収納部３０ａ〜３６ａが制御部５０に通信接続されると、制御部５０は、各収納部３０ａ〜３６ａの各々の制御を行うことができるようになる。
【００４０】
また、各収納カセット３０〜３６が装置本体１０ａに装着されたときに、各収納カセット３０〜３６に設けられた検出部が制御部５０に通信接続されるようになっている。そして、検出部によりにより収納カセット３０〜３６に故障が発生していることが検出された場合には、この検出情報が検出部から制御部５０に送られるようになっている。
【００４１】
また、図２に示すように、各収納カセット３０〜３６には記憶部（メモリ）３０ｍ〜３６ｍがそれぞれ設けられている。そして、各収納カセット３０〜３６が装置本体１０ａに装着されたときに、これらの記憶部３０ｍ〜３６ｍが制御部５０に通信接続されるようになっている。各記憶部３０ｍ〜３６ｍには、各収納カセット３０〜３６の開閉日時や収納紙幣の枚数等が記憶されるようになっている。また、各記憶部３０ｍ〜３６ｍには、各収納カセット３０〜３６に故障が発生しているか否かの故障情報が記憶されるようになっている。
【００４２】
より詳細には、各記憶部３０ｍ〜３６ｍには、各収納カセット３０〜３６の開閉日時や収納紙幣の枚数等が制御部５０により書き込まれ、書き込まれた内容が記憶されるようになっている。また、制御部５０は、各収納カセットに設けられた検出部からの検出情報に基づいて、ある収納カセット（例えば、収納カセット３０）に故障が発生していると判断したときに、この収納カセットの記憶部（例えば、記憶部３０ｍ）に故障情報を書き込むようになっている。
【００４３】
制御部５０は、各収納部３０ａ、３２ａ、３４ａ、３６ａの制御を行うにあたり、各記憶部３０ｍ〜３６ｍに記憶された故障情報に基づいて、故障が発生していないと判断された収納部のみの動作を行わせるようになっている。具体的には、例えば収納カセット３２に設けられた検出部により当該収納カセット３２に故障が発生したことが検出された場合には、この検出情報が検出部から制御部５０に送られ、制御部５０は、収納カセット３２の記憶部３２ｍに故障情報を書き込む。そして、後述するような紙幣の入金処理や出金処理、精査処理等が行われる際に、制御部５０は、搬送部２８から収納カセット３０、３４、３６の各収納部３０ａ、３４ａ、３６ａには紙幣を送るが搬送部２８から収納カセット３２の収納部３２ａには紙幣を送らないよう搬送部２８や各収納部３０ａ、３４ａ、３６ａを制御する。また、制御部５０は、収納カセット３２の収納部３２ａから搬送部２８に紙幣を繰り出しさせないよう制御を行う。
【００４４】
なお、制御部５０が、各記憶部３０ｍ〜３６ｍに記憶された故障情報に基づいて、故障が発生していないと判断された収納部のみの動作を行わせるにあたり、収納カセットに故障が１回発生しただけでこの収納カセットの収納部の動作を行わせないようにしてもよく、あるいは個々の収納カセットにおける故障が発生した回数が予め設定された所定の回数に達するとこの収納カセットの収納部の動作を行わせないようにしてもよい。後者の場合には、収納カセットにおける故障が発生した回数はこの収納カセットの記憶部に履歴情報として記憶されるようになる。また、収納カセットに故障が発生したことが検出部により検出されたときに、または収納カセットにおける故障が発生した回数が予め設定された所定の回数に達したときに、このことが表示操作部５２に表示され、操作者が表示操作部５２によりこの収納カセットを用いないという指令を制御部５０に与えたときに、制御部５０がこの収納カセットの収納部の動作を行わせないようにしてもよい。
【００４５】
次に、上述のような構成からなる紙幣処理装置１０の動作について以下に説明する。以下に説明する紙幣処理装置１０の動作は、制御部５０が紙幣処理装置１０の各構成要素を制御することにより行われる。
【００４６】
まず、紙幣処理装置１０における紙幣の入金処理について説明する。紙幣処理装置１０において紙幣の入金処理を行う際に、操作者は表示操作部５２によって紙幣の入金処理を行うという指令を制御部５０に与える。制御部５０に対して紙幣の入金処理を行うという指令が与えられると、紙幣投入部１４に設けられたシャッター（図示せず）が自動的に開く。そして、操作者は、紙幣を紙幣投入部１４に投入する。その後、操作者が表示操作部５２によって入金スタートの指令を制御部５０に与えると、紙幣投入部１４に投入された紙幣は１枚ずつ搬送部２８に繰り出され、搬送部２８により識別部２２に送られる。そして、識別部２２により紙幣の金種、真偽、正損等の識別が１枚ずつ行われる。識別部２２により識別が行われた紙幣のうち、正常な紙幣は一時保留部２０に送られてこの一時保留部２０で一時的に保留される。一方、識別部２２により識別を行うことができなかった紙幣や、識別により正常ではないと判断された紙幣はリジェクト紙幣としてリジェクト部１８に送られる。
【００４７】
そして、紙幣投入部１４から一時保留部２０またはリジェクト部１８への紙幣の搬送が終了すると、表示操作部５２には、紙幣の入金処理の確定を行うか否かの表示がなされる。そして、操作者が表示操作部５２により紙幣の入金処理の確定の指令を制御部５０に与えると、一時保留部２０で一時的に保留された紙幣は１枚ずつ搬送部２８に繰り出され、識別部２２により再び識別が行われ、金種別に各収納カセット３０、３２、３４、３６の各収納部３０ａ、３２ａ、３４ａ、３６ａまたは混合収納部２６に収納される。この際に、各収納カセット３０、３２、３４、３６のうち一または複数の収納カセットに故障が発生している場合には、この収納カセットに設けられた記憶部に故障情報が記憶されるので、制御部５０は、記憶部に故障情報が記憶された収納カセットの収納部には紙幣を搬送しないよう制御を行う。
【００４８】
次に、紙幣処理装置１０における紙幣の出金処理について説明する。紙幣処理装置１０において紙幣の出金処理を行う際に、操作者は表示操作部５２によって紙幣の出金処理を行うという指令を制御部５０に与える。制御部５０に対して紙幣の出金処理を行うという指令が与えられると、各収納カセット３０、３２、３４、３６の各収納部３０ａ、３２ａ、３４ａ、３６ａおよび／または混合収納部２６に収納された紙幣は１枚ずつ搬送部２８に繰り出され、搬送部２８により１枚ずつ搬送される。この際に、各収納カセット３０、３２、３４、３６のうち一または複数の収納カセットに故障が発生している場合には、この収納カセットに設けられた記憶部に故障情報が記憶されるので、制御部５０は、記憶部に故障情報が記憶された収納カセットの収納部からは搬送部２８に紙幣を繰り出さないよう制御を行う。
【００４９】
そして、搬送部２８に繰り出された紙幣は識別部２２を通り、この識別部２２により正常な紙幣であると判断された紙幣は紙幣投出部１６に送られる。一方、識別部２２により識別することができなかった紙幣はリジェクト紙幣として一時保留部２０に送られる。そして、各収納部３０ａ、３２ａ、３４ａ、３６ａおよび／または混合収納部２６から紙幣投出部１６または一時保留部２０への紙幣の搬送が終了すると、紙幣投出部１６に設けられたシャッター（図示せず）が自動的に開き、操作者は紙幣投出部１６にある紙幣を取り出すこととなる。この際に、一時保留部２０に保留されたリジェクト紙幣は識別部２２により識別された後、各収納部３０ａ、３２ａ、３４ａ、３６ａ等に戻されることとなる。このようにして、紙幣の出金処理が完了する。
【００５０】
次に、紙幣処理装置１０における紙幣の精査処理について説明する。紙幣処理装置１０において紙幣の精査処理を行う際に、操作者は表示操作部５２によって紙幣の精査処理を行うという指令を制御部５０に与える。制御部５０に対して紙幣の精査処理を行うという指令が与えられると、各収納カセット３０、３２、３４、３６の各収納部３０ａ、３２ａ、３４ａ、３６ａおよび／または混合収納部２６に収納された紙幣は１枚ずつ搬送部２８に繰り出され、搬送部２８により１枚ずつ搬送され、識別部２２により識別される。この際に、各収納カセット３０、３２、３４、３６のうち一または複数の収納カセットに故障が発生している場合には、この収納カセットに設けられた記憶部に故障情報が記憶されるので、制御部５０は、記憶部に故障情報が記憶された収納カセットの収納部からは搬送部２８に紙幣を繰り出さないよう制御を行う。
【００５１】
そして、識別部２２により識別された紙幣は精査用収納部２４に送られる。各収納部３０ａ、３２ａ、３４ａ、３６ａおよび／または混合収納部２６から紙幣が全て精査用収納部２４に送られると、精査用収納部２４に収納された紙幣は１枚ずつ搬送部２８に繰り出され、各収納部３０ａ、３２ａ、３４ａ、３６ａや混合収納部２６に戻される。このようにして、制御部５０は、各収納部３０ａ、３２ａ、３４ａ、３６ａや混合収納部２６に収納された紙幣の在高を確認することができる。このような紙幣の在高は、表示操作部５２に表示されるようになっている。
【００５２】
また、上述のような紙幣の入金処理や出金処理、精査処理等が行われている間に、各収納カセット３０、３２、３４、３６のうちある収納カセットに故障が発生した場合には、当該収納カセットに設けられた検出部によって故障が発生したことが検出され、この検出情報が検出部から制御部５０に送られる。制御部５０は、検出部から送られた検出情報に基づいて、故障が発生したことが検出された収納カセットの記憶部に故障情報を書き込む。このようにして、紙幣の入金処理や出金処理、精査処理等が行われる際に、制御部５０は、各収納部３０ａ、３２ａ、３４ａ、３６ａの制御を行うにあたり、各記憶部３０ｍ〜３６ｍに記憶された故障情報に基づいて、故障が発生していないと判断された収納カセットの収納部のみの動作を行わせるよう制御を行う。
【００５３】
以上のように本実施の形態の紙幣処理装置１０によれば、各収納カセット３０、３２、３４、３６に、当該収納カセット３０、３２、３４、３６に故障が発生しているか否かの故障情報を記憶する記憶部３０ｍ〜３６ｍがそれぞれ設けられており、制御部５０は、各収納カセット３０、３２、３４、３６の各収納部３０ａ、３２ａ、３４ａ、３６ａの制御を行うにあたり、各記憶部３０ｍ〜３６ｍに記憶された故障情報に基づいて、故障が発生していないと判断された収納部のみの動作を行わせるようになっている。このことにより、制御部５０は故障している収納カセットを容易に認識することができ、このため、各収納カセット３０、３２、３４、３６の入れ換えを行った場合にも故障が発生していないと判断された収納カセットのみの動作を自動的に行わせることができる。
【００５４】
また、本実施の形態の紙幣処理装置１０においては、制御部５０は、各収納カセット３０、３２、３４、３６のうちある収納カセットに故障が発生していると判断したときには、当該収納カセットの記憶部に故障情報を書き込むようになっている。
【００５５】
また、本実施の形態の収納カセット３０、３２、３４、３６によれば、装置本体１０ａから送られた紙幣を収納する収納部３０ａ、３２ａ、３４ａ、３６ａと、収納カセット３０、３２、３４、３６に故障が発生しているか否かの故障情報を記憶する記憶部３０ｍ〜３６ｍとを備えている。このような収納カセット３０、３２、３４、３６によれば、各収納カセット３０、３２、３４、３６の入れ換えを行った場合にも故障が発生していないと判断された収納カセットのみの動作を自動的に行わせることができる。
【００５６】
なお、本実施の形態による紙幣処理装置１０は、上記の態様に限定されるものではなく、様々の変更を加えることができる。
【００５７】
例えば、紙幣処理装置１０に設けられる各収納カセットは、１つの収納部が設けられるものに限定されることはない。本実施の形態による紙幣処理装置１０において、複数の収納部が設けられた収納カセットを用いてもよい。
【００５８】
図３乃至図６に、本実施の形態に係る紙幣処理装置の他の構成を示す。図３に示す紙幣処理装置１１は、図１に示す紙幣処理装置１０と比較して、１つの収納部３６ａが設けられた収納カセット３６を用いる代わりに複数（例えば３つ）の収納部４０ａ、４０ｂ、４０ｃが設けられた収納カセット４０を用いる点が異なるのみであり、他の構成については実質的に図１に示す紙幣処理装置１０と同様となっている。以下、紙幣処理装置１１の構成の詳細について図３乃至図６を用いて説明するが、図１および図２に示す紙幣処理装置１０と同様の構成や動作についてはその説明を省略する。
【００５９】
図３に示すような紙幣処理装置１１において、４つの収納カセット３０、３２、３４、４０が設けられており、このうち３つの収納カセット３０、３２、３４にはそれぞれ１つの収納部３０ａ、３２ａ、３４ａが設けられているが、収納カセット４０には３つの収納部４０ａ、４０ｂ、４０ｃが鉛直方向に並んで設けられている。これらの４つの収納カセット３０、３２、３４、４０はカセット収容部３８に収容されており、カセット収容部３８を装置本体１１ａから水平方向に引き出すと、各収納カセット３０、３２、３４、４０をそれぞれカセット収容部３８から上方向に取り出すことができるようになっている。
【００６０】
収納カセット４０が装置本体１１ａに装着されたときに、搬送部２８から各収納部４０ａ、４０ｂ、４０ｃにそれぞれ紙幣を送ることができるようになっており、搬送部２８から各収納部４０ａ、４０ｂ、４０ｃに送られた紙幣はこれらの収納部４０ａ、４０ｂ、４０ｃにそれぞれ収納されるようになっている。また、各収納部４０ａ、４０ｂ、４０ｃはそれぞれ繰出機構４０ｐ、４０ｑ、４０ｒを有しており、各収納部４０ａ、４０ｂ、４０ｃに収納された紙幣を各繰出機構４０ｐ、４０ｑ、４０ｒにより装置本体１１ａの搬送部２８に１枚ずつ繰り出すことができるようになっている。
【００６１】
各収納カセット３０、３２、３４は全く同一のタイプのものからなり、その寸法、紙幣の収納可能枚数、収納部や繰出機構の位置等も同一となっている。また、各収納カセット３０、３２、３４と収納カセット４０はその寸法（縦、横、高さの各大きさ）が同一となっている。このため、各収納カセット３０、３２、３４、４０について、他の収納カセットとの入れ換えを行うことが可能となっている。具体的には、例えば図３に示すような状態から収納カセット３０および収納カセット４０を互いに入れ換えてもよく、また、図３に示すような状態から収納カセット４０を装置本体１１ａから抜き出し、収納部が１つ設けられた新たな収納カセットを装置本体１１ａにおける収納カセット４０が抜き出された箇所に装着してもよい。ただし、カセット収容部３８に搬送路が設けられていない場合には、収納部４０ｂ、４０ｃを使用することはできない。
【００６２】
また、各収納カセット３０、３２、３４、４０には、当該収納カセット３０、３２、３４、４０に故障が発生しているか否かの検出を行う検出部（図示せず）がそれぞれ設けられている。ここで、収納カセット４０の各収納部４０ａ、４０ｂ、４０ｃは、それぞれ図７および図８に示すような構成となっている。また、収納カセット４０において、各収納部４０ａ、４０ｂ、４０ｃにそれぞれ検出部が設けられており、各検出部は、対応する収納部４０ａ、４０ｂ、４０ｃに故障が発生しているか否かをそれぞれ検出するようになっている。
【００６３】
次に、図３に示すような紙幣処理装置１１の制御ブロック図について図４を用いて説明する。
【００６４】
図４に示すように、制御部５０には通信部５４が接続されており、この通信部５４を介して制御部５０は各収納カセット３０、３２、３４、４０と信号の送受信を行うようになっている。より具体的には、収納カセット３０には、制御部３０ｓ、制御部３０ｓに接続された記憶部３０ｍ、および制御部３０ｓに接続された通信部３０ｔがそれぞれ設けられている。そして、収納カセット３０が装置本体１１ａに装着されたときに、収納カセット３０の通信部３０ｔと装置本体１１ａの通信部５４とが接続され、これらの通信部３０ｔ、５４の間で信号の送受信が行われるようになっている。制御部３０ｓは、通信部３０ｔ、５４を介して制御部５０から送られた制御信号に基づいて収納部３０ａの制御を行うようになっている。収納カセット３２、３４にも、収納カセット３０と同様に、制御部、記憶部、および通信部がそれぞれ設けられている。
【００６５】
また、収納カセット４０には、制御部４０ｓ、制御部４０ｓに接続された記憶部４０ｍ、および制御部４０ｓに接続された通信部４０ｔがそれぞれ設けられており、制御部４０ｓは、通信部４０ｔ、５４を介して制御部５０から送られた制御信号に基づいて収納部４０ａ、４０ｂ、４０ｃの制御を行うようになっている。また、収納カセット４０が装置本体１１ａに装着されたときに、収納カセット４０の各収納部４０ａ、４０ｂ、４０ｃに設けられた検出部がそれぞれ制御部５０に通信接続されるようになっている。そして、検出部により各収納部４０ａ、４０ｂ、４０ｃに故障が発生していることが検出された場合には、この検出情報が各検出部から制御部５０に送られるようになっている。また、記憶部４０ｍには、各収納部４０ａ、４０ｂ、４０ｃの各々における収納紙幣の枚数等が記憶されるようになっている。また、記憶部４０ｍには、各収納部４０ａ、４０ｂ、４０ｃにそれぞれ故障が発生しているか否かの故障情報が記憶されるようになっている。
【００６６】
制御部５０は、収納カセット４０に設けられた制御部４０ｓに制御信号を送るにあたり、記憶部４０ｍに記憶された故障情報に基づいて、各収納部４０ａ、４０ｂ、４０ｃのうち故障が発生していないと判断された収納部のみの動作を行わせるようになっている。具体的には、例えば収納カセット４０の収納部４０ｂに設けられた検出部により当該収納部４０ｂに故障が発生したことが検出された場合には、この検出情報が検出部から制御部５０に送られ、制御部５０は、記憶部４０ｍにこの故障情報を書き込むよう制御部４０ｓに制御信号を送る。そして、紙幣の入金処理や出金処理、精査処理等が行われる際に、制御部５０は、搬送部２８から収納カセット４０の各収納部４０ａ、４０ｃには紙幣を送るが収納部４０ｂには紙幣を送らないよう搬送部２８の制御を行ったり制御部４０ｓに制御信号を送ったりする。また、制御部５０は、収納カセット４０の収納部４０ｂから搬送部２８に紙幣を繰り出しさせないよう制御部４０ｓに制御信号を送る。
【００６７】
また、各収納カセット３０、３２、３４、４０が装置本体１１ａに装着されたときに、これらの収納カセット３０、３２、３４、４０に設けられる収納部の数にかかわらず同じ種類の通信用コネクタにより各収納カセット３０、３２、３４、４０の通信部３０ｔ〜４０ｔと装置本体１１ａの通信部５４とが接続されるようになっている。より具体的には、図５（ａ）（ｂ）に示すように、各収納カセット３０、３２、３４、４０の底面には同一の種類の通信用コネクタ４２が設けられている。通信用コネクタ４２は各収納カセット３０、３２、３４、４０の通信部３０ｔ〜４０ｔに接続されている。ここで、各収納カセット３０、３２、３４、４０の底面における通信用コネクタ４２が設けられる位置は全て同一となっている。また、図５（ｃ）に示すように、カセット収容部３８における各収納カセット３０、３２、３４、４０が収容されるべき空間３８ａの底部にも通信用コネクタ４４が設けられている。通信用コネクタ４４は装置本体１１ａの通信部５４に接続されている。そして、各収納カセット３０、３２、３４、４０がカセット収容部３８に収容されたときに、各収納カセット３０、３２、３４、４０に設けられた通信用コネクタ４２と、カセット収容部３８に設けられた通信用コネクタ４４とが接続され、このことにより装置本体１１ａの通信部５４と各収納カセット３０、３２、３４、４０の通信部３０ｔ〜４０ｔとの間で信号の送受信が行われるようになる。
【００６８】
なお、各収納カセット３０、３２、３４、４０およびカセット収容部３８にそれぞれ設けられる通信用コネクタは図５に示すようなものに限定されることはない。通信用コネクタの他の例について図６を用いて説明する。図６（ａ）（ｂ）に示すように、１つの収納部が設けられた収納カセット３０、３２、３４の底面における通信用コネクタ４２の配置位置と、３つの収納部が設けられた収納カセット４０の底面における通信用コネクタ４３の配置位置とは互いに異なるようになっている。ここで、通信用コネクタ４２は各収納カセット３０、３２、３４の通信部３０ｔ等にそれぞれ接続されており、通信用コネクタ４３は収納カセット４０の通信部４０ｔに接続されている。なお、通信用コネクタ４２および通信用コネクタ４３は全く同じ種類のものである。また、図６（ｃ）に示すように、カセット収容部３８における各収納カセット３０、３２、３４、４０が収容されるべき空間３８ａの底部には、通信用コネクタ４２、４３に対応して複数の通信用コネクタ４４、４５が設けられている。通信用コネクタ４４、４５はそれぞれ装置本体１１ａの通信部５４に接続されている。なお、通信用コネクタ４４および通信用コネクタ４５は全く同じ種類のものであってもよく、異なる種類のものであってもよい。そして、各収納カセット３０、３２、３４がカセット収容部３８に収容されたときに、各収納カセット３０、３２、３４に設けられた通信用コネクタ４２と、カセット収容部３８に設けられた通信用コネクタ４４とが接続され、このことにより装置本体１１ａの通信部５４と各収納カセット３０、３２、３４の通信部３０ｔ等との間で信号の送受信が行われるようになる。一方、収納カセット４０がカセット収容部３８に収容されたときに、収納カセット４０に設けられた通信用コネクタ４３と、カセット収容部３８に設けられた通信用コネクタ４５とが接続され、このことにより装置本体１１ａの通信部５４と収納カセット４０の通信部４０ｔとの間で信号の送受信が行われるようになる。また、図５（ｃ）に示すように、カセット収容部３８における各収納カセット３０、３２、３４、４０が収容されるべき空間３８ａの底部には、例えば２つの収納部が設けられた収納カセット用の通信用コネクタ４６が追加的に設けられていてもよい。また、４つ以上の収納部が設けられた収納カセット用の通信用コネクタが収納部の数毎に設けられていてもよい。このように、図６に示すような通信用コネクタによれば、収納部の数が異なる各収納カセットに応じて別々の通信用コネクタを用いることができる。
【００６９】
図３乃至図６に示すような紙幣処理装置１１によれば、複数の収納部４０ａ、４０ｂ、４０ｃが設けられた収納カセット４０における記憶部４０ｍに記憶される故障情報は、各収納部４０ａ、４０ｂ、４０ｃにそれぞれ故障が発生しているか否かに関するものであり、制御部５０は、記憶部４０ｍに記憶された故障情報に基づいて、収納カセット４０にそれぞれ設けられた複数の収納部４０ａ、４０ｂ、４０ｃのうち故障が発生していないと判断された収納部のみの動作を行わせるようになっている。このことにより、収納部４０ａ、４０ｂ、４０ｃが複数設けられた収納カセット４０を用いた際に、この収納カセット４０におけるある一つの収納部（例えば収納部４０ｂ）に故障が発生した場合でも、他の収納部（収納部４０ａ、４０ｃ）を利用することができる。また、この収納カセット４０の記憶部４０ｍに記憶される故障情報は、各収納部４０ａ、４０ｂ、４０ｃにそれぞれ故障が発生しているか否かに関するものであるので、収納カセット４０の入れ換えを行った場合でも制御部５０における再設定を容易に行うことができる。
【００７０】
また、図５に示すように、収納カセット３０、３２、３４、４０が装置本体１１ａに装着されたときに、収納部の数にかかわらず同一の種類の通信用コネクタ４２により装置本体１１ａの通信部５４と収納カセット３０、３２、３４、４０の通信部３０ｔ〜４０ｔとが接続されてこれらの通信部５４と通信部３０ｔ〜４０ｔとの間で故障情報が送受信されるようになっている。このため、複数の収納部の情報を得るために必要な信号線の数が増えることを防止することができ、配線をシンプルとすることができるとともにコストを低減することができる。
【符号の説明】
【００７１】
１０    紙幣処理装置
１０ａ  装置本体
１１    紙幣処理装置
１１ａ  装置本体
１２    筐体
１４    紙幣投入部
１６    紙幣投出部
１８    リジェクト部
２０    一時保留部
２２    識別部
２４    精査用収納部
２４ｐ  繰出機構
２６    混合収納部
２６ｐ  繰出機構
２８    搬送部
３０、３２、３４、３６  収納カセット
３０ａ、３２ａ、３４ａ、３６ａ  収納部
３０ｐ、３２ｐ、３４ｐ、３６ｐ  繰出機構
３０ｍ、３６ｍ  記憶部
３０ｓ  制御部
３０ｔ  通信部
３８    カセット収容部
３８ａ  空間
４０    収納カセット
４０ａ、４０ｂ、４０ｃ    収納部
４０ｐ、４０ｑ、４０ｒ  繰出機構
４０ｍ  記憶部
４０ｓ  制御部
４０ｔ  通信部
４２、４３、４４、４５、４６  通信コネクタ
５０    制御部
５２    表示操作部
５４    通信部
８２ａ、８２ｂ、８２ｃ、８２ｄ、８２ｅ  紙幣ガイド
８４ａ  紙幣右端部分検出センサ
８４ｂ  紙幣左端部分検出センサ
８６    フィードローラ
８８    ゲートローラ
８８ａ  札叩きゴム
９０    キッカローラ
９２    落下ガイド
９２ａ  軸
９４    ステージ
９６    集積紙幣検出センサ
【図１】
2011170533.tif 000003
【図２】
2011170533.tif 000004
【図３】
2011170533.tif 000005
【図４】
2011170533.tif 000006
【図５】
2011170533.tif 000007
【図６】
2011170533.tif 000008
【図７】
2011170533.tif 000009
【図８】
2011170533.tif 000010